(57)【要約】【課題】ＬＰＧ・ＬＮＧの両方に対応できる圧力調整器を提供する。【解決手段】本体１１とカバー１２とを組み合わせて、ガス流路１５と受圧室１６とバネ室１７とを形成し、上記ガス流路１５に調整弁機構２０を配置し、上記バネ室１７にダイヤフラム１４に密接して受圧板２１と調整バネ２２とバネ座２３と押し棒２４とを配置し、上記カバー１２の上端にキャップ２５を被せ、上記ダイヤフラム１４の変位を、ダイヤフラム１４に固着した連動子２６にレバー２７とをリンクさせて、上記調整弁機構２０を作動させる圧力調整弁１０において、カパー１２上部に形成したボス２８の貫通孔２８ｈ  下端内面に、長・短溝３２，３３を設け、この長・短溝に、鉤３４を設けた六分割スカート３８を押し棒２４とともに装入し、上記鉤３４を長・短溝３２，３３嵌め替えてＬＮＧまたはＬＰＧに対応できるようにしたものである。【選択図】  図１
2004151848.tif 000002
【特許請求の範囲】
【請求項１】
本体１１とカバー１２とを、ダイヤフラム１４の周縁を挟むように組み合わせて、ガス流路１５と受圧室１６とバネ室１７とを形成し、上記ガス流路１５には、ノズル１８とゴム弁１９ｒを含む弁体１９とからなる調整弁機構２０を配置し、上記バネ室１７にはダイヤフラム１４に密接した受圧板２１と調整バネ２２とバネ座２３と押し棒２４とを同軸に配置し、上記カバー１２の上端にキャップ２５を被せて上記押し棒２４の上下位置で固定し、上記ダイヤフラム１４の中心に連動子２６を固着し、該連動子２６とレバー２７とをリンクさせて上記調整弁機構２０にダイヤフラム１４の変位を伝える圧力調整弁１０において、上記調整バネ２２の付勢力を変えることにより出口圧を切替え可能にしたことを特徴とする出口圧可変圧力調整弁。
【請求項２】
上記カバー１２上端に形成されたボス２８の貫通孔２８ｈ  内面下端軸方向に、長い溝３２と短い溝３３を形成し、上記キャップ２５の中心下向きに、上記押し棒２４と、その同心円上に上記長・短溝３２，３３の端に引っ掛かる鉤３４を配設し、上記キャップ２５とカバー１２との間に固定用ねじ３９を付設したことを特徴とする請求項１に記載の出口圧可変圧力調整弁。
【請求項３】
上記カバー１２上端に形成されたボス２８に、内面上端にのみ雌ねじ２９を設けたスリーブ３０を螺合し、このスリーブ３０内に、下端にストッパ４５を設けた押し棒２４を装入し、上記雌ねじ２９に雄ねじ片３１を螺合・非螺合にしたことを特徴する請求項１に記載の出口圧可変圧力調整弁。
【発明の詳細な説明】
【０００１】
【発明の属する技術分野】
この発明は、供給される燃料ガスの種類に応じて、出口側の調整圧を切り換えることができる圧力調整弁に関する。
【０００２】
【従来の技術】
これまで使われてきた圧力調整弁は、ＬＰＧ，ＬＮＧのいずれにも対応できるようになっておらず、いずれか一方の専用であった。
【０００３】
【発明が解決しようとする課題】
そのため供給源がＬＰＧからＬＮＧ、あるいはＬＮＧからＬＰＧに変えられると、それまで使われていた圧力調整弁を取り換えねばならず多くの経費と工数が必要となるため、供給源が上記のように変更されたとき、これに対応して圧力調整弁の出口圧を切替えられるものが望まれている。
【０００４】
この発明は上記の要望を叶えるために、ＬＰＧ、ＬＮＧの両方に対応できる圧力調整器を提供することを課題とする。
【０００５】
【課題を解決するための手段】
上記課題を解決するために本発明は、本体とカバーとを、ダイヤフラムの周縁を挟むように組み合わせて、ガス流路と受圧室とバネ室とを形成し、上記ガス流路には、ノズルとゴム弁を含む弁体とからなる調整弁機構を配置し、上記バネ室にはダイヤフラムに密接した受圧板と調整バネとバネ座と押し棒とを同軸に配置し、上記カバーの上端にキャップを被せて上記押し棒の上下位置で固定し、上記ダイヤフラムの中心に連動子を固着し、該連動子とレバーとをリンクさせて上記調整弁機構にダイヤフラムの変位を伝える圧力調整弁において、上記調整バネの付勢力を変えることにより出口圧を切替え可能にしたもので（請求項１）、上記カバー上端に形成されたボスの内面下端軸方向に、長い溝と短い溝を形成し、上記キャップの中心下向きに、上記押し棒と、その同心円上に上記長・短溝の端に引っ掛かる鉤を配設し、上記キャップとカバーとの間に固定用ねじを付設する（請求項２）か、上記調整バネの付勢力を変える手段として、上記カバー上端に形成されたボスに、内面上端にのみ雌ねじを設けたスリーブを螺合し、このスリーブ内に押し棒を装入し、上記雌ねじに雄ねじ片を螺合・非螺合にする（請求項３）ことを挙げることができる。
【０００６】
上記の如く構成するこの発明によれば、供給源が、ＬＮＧのときはバネ座を高い位置にしてＬＮＧの仕様出口圧力とし、ＬＰＧのときはバネ座を低い位置にしてＬＰＧの仕様出口圧力に切り替えることができるようになって、供給源が変更されても、切り替え作業だけで圧力調整弁を取り換える必要がなく、経費と工数の節減が可能となる。
【０００７】
【発明の実施の形態】
次にこの発明の実施形態を図面を参照しながら説明する。図１はこの発明の第一実施形態で、本体１１とカバー１２とはダイヤフラム１４と一体のパッキング１３挟むようにしてねじ４０により組み合わされて、ガス流路１５と受圧室１６とバネ室１７を形成している。
【０００８】
ガス流路１５には、ノズル１８とゴム弁１９ｒ  を含む弁体１９とからなる調整弁機構２０が配設され、この調整弁機構２０はダイヤフラム１４の中心に固着された連動子２６にリンクしたレバー２７により、ダイヤフラム１４の変位に対応して作動する。
【０００９】
ダイヤフラム１４の周囲は、受圧室１６の圧力変動に敏感に反応するように波状薄膜にし、中心部分は肉厚を厚く１４ｂ  し、連動子２６を固着する部分はさらに肉厚を厚く、かつ、立ち上げ部１４ｃ  にして連動子２６の固着を確実にしている。
【００１０】
バネ室１７内において、ダイヤフラム１４の上面には、中心部分と中間部分に同心円状のリブ２１ａ  、２１ｂ  を形成した受圧板２１が嵌められ、中心リブ２１ａ  には安全弁３５用のバネ３６が嵌まり、連動子２６の頂部に取り付けられたバネ座３７により押さえられている。
【００１１】
中間のリブ２１ｂ  の内側には調整バネ２２が嵌まり、この調整バネ２２をバネ座２３を介してキャップ２５の中心から延びた押し棒２４により押さえられている。
【００１２】
上記カバー１２の上部中心にはボス２８が形成され、このボス２８の貫通孔２８ｈ  の下端内面には、同図（ｃ）に示す長い溝３２と短い溝３３を６０度の角位相をもって設け、この貫通孔２８ｈ  にキャップ２５の押し棒２４が、その周りを囲むように六等分位にスリットを入れて形成したスカート３８とともに嵌入されている。
【００１３】
上記に六等分位にスリットを入れたスカート３８の内三個には外向きの鉤３４を設けて、上記長い溝３２または短い溝３３の端（突き当たり）に引っ掛かるようになっている。
【００１４】
従って、キャップ２５を、一旦押し下げて６０度回すことにより、鉤３４が長い溝３２または短い溝３３に嵌まり、調整バネの付勢により長い溝３２（ＬＮＧ用）または短い溝３３（ＬＰＧ用）の端（突き当たり）に引っ掛かってＬＮＧまたはＬＰＧの調整圧に設定される。なお、設定が完了するとねじ３９によりキャップ２５を固定する。
【００１５】
キャップ２５は外側部分２５ａ  と中心部分２５ｂ  に分かれているが、これは、プラスチックの成形を容易にするためである。
【００１６】
図２はこの発明の第二実施形態で、本体１１とカバー１２とはダイヤフラム１４と一体のパッキング１３を挟むようにしてねじ４０（図１参照）により組み合わされて、ガス流路１５と受圧室１６とバネ室１７を形成している。
【００１７】
ガス流路１５には、ノズル１８とゴム弁１９ｒ  を含む弁体１９とからなる調整弁機構２０が配設され、この調整弁機構２０はダイヤフラム１４の中心に固着された連動子２６にリンクしたレバー２７により、ダイヤフラム１４の変位に対応して作動する。
【００１８】
ダイヤフラム１４の周囲は、受圧室１６の圧力変動に敏感に反応するように波状薄膜にし、中心部分は肉厚を厚く１４ｂ  し、連動子２６を固着する部分はさらに肉厚を厚く、かつ、立ち上げ部１４ｃ  にして連動子２６との固着を確実にしている。
【００１９】
バネ室１７内において、ダイヤフラム１４の上面には、中心部分と中間部分に同心円状のリブ２１ａ  、２１ｂ  を形成した受圧板２１が嵌められ、中心リブ２１ａ  には安全弁３５用のバネ３６が嵌まり連動子２６の頂部に取り付けられたバネ座３７により押さえられ、中間のリブ２１ｂ  の内側には調整バネ２２が嵌まり、この調整バネ２２をバネ座２３を介して押し棒２４により押さえられている。
【００２０】
カバー１２のボス２８には、同図（ｂ）に示すように上から拡径穴４０と雌ねじ４１を順に設け、この雌ねじ４１には、上端から拡径頭部４２（上記拡径穴４０より僅かに小さい外径）と雄ねじ４３を順に設けたスリーブ３０を螺合する。また、上記スリーブ３０の拡径頭部端面には同図（ｃ）に示すスパナＳが嵌まる凹穴Ｈが設けられている。
【００２１】
上記スリーブ３０の中心には上端から順に、雌ねじ２９とストレートの貫通孔４４を設け、上記雌ねじ２９には雄ねじ片３１（六角穴雄ねじ）を螺合し、上記ストレートの貫通孔４４には、（同図（ａ）に戻る）下端にストッパ４５を設けた押し棒２４が差し込まれ、押し棒２４の下端はバネ座２３の中心に当接し、ボス２８にはキャップ２５が被せられる。
【００２２】
上記説明した状態では、バネ座２３は太線の位置にあってＬＰＧの出口圧に調整される。ＬＮＧの出口圧に調整するときは、キャップ２５を外しスリーブ３０の上部にねじ込んだ雄ねじ片３１を戻して取り除くと調整バネ２２の付勢により押し棒２４が上昇しストッパ４５がスリーブ３０の下端に当接してＬＮＧの出口圧に調整される。
【００２３】
ＬＰＧ・ＬＮＧの出口圧の微調整は、キャップ２５を外しスリーブ３０の拡径頭部４２の凹穴Ｈに同図（ｃ）に示すスパナＳを嵌めてスリーブ３０を必要な方向に回して行う。
【００２４】
【発明の効果】
以上説明した通りこの発明によって、供給源が、ＬＮＧのときはバネ座を高い位置に設定してＬＮＧの仕様出口圧力とし、ＬＰＧのときはバネ座を低い位置に設定してＬＰＧの仕様出口圧力に切り替えることができ、供給源が変更されても、設定位置を切り替え作業だけで、圧力調整弁を取り換える必要がなく、経費と工数の節減が可能となった。
【図面の簡単な説明】
【図１】第一実施形態の（ａ）平面図、（ｂ）縦断面図、（ｃ）出口圧切替え部の拡大斜視図
【図２】第二実施形態の（ａ）縦断面図、（ｂ）出口圧切替え部の拡大縦断面図、（ｃ）出口圧微調整に使用するスパナの斜視図
【符号の説明】
１０  圧力調整弁
１１  本体
１２  カバー
１３  パッキング
１４  ダイヤフラム
１５  ガス流路
１６  受圧室
１７  バネ室
１８  ノズル
１９  弁体
１９ｒ    ゴム弁
２０  調整弁機構
２１  受圧板
２２  調整バネ
２３  バネ座
２４  押し棒
２５  キャップ
２６  連動子
２７  レバー
２８  ボス
２８ｈ    貫通孔（ボスの）
２９  雌ねじ
３０  スリーブ
３１  雄ねじ片（六角穴雄ねじ）
３２  長い溝
３３  短い溝
３４  鉤
３５  安全弁
３６  バネ（安全弁の）
３７  バネ座（安全弁の）
３８  スカート
３９  ねじ（キャップ固定用）
４０  拡径穴
４１  雌ねじ（ボス内面の）
４２  拡径頭部（スリーブの）
４３  雄ねじ（スリーブの）
４４  貫通孔（スリーブの）
４５  ストッパ
４６  空気孔
【図１】
2004151848.tif 000003
【図２】
2004151848.tif 000004